(57)【特許請求の範囲】
【請求項１】
側板、外底板および内底板の連結構造において、
前記側板は、下端の内側に上向きに開口された略コ字状の上向屈曲部を有し、
前記外底板は、前記上向屈曲部と係合するように下向きに開口された略コ字状の下向屈曲部を有し、
前記内底板は、前記外底板の上方に配置されるとともに、前記側板の上向屈曲部の内周面に沿って嵌合可能な上向きに開口された略コ字状の上向屈曲部を有し、
前記外底板の下向屈曲部の端部と前記内底板の上向屈曲部の端部とが当接するように設定されていることを特徴とする収納家具。
【請求項２】
背板、外底板および内底板の連結構造において、
前記背板は、下端の内側に上向きに開口された略コ字状の上向屈曲部を有し、
前記外底板は、前記上向屈曲部と係合するように下向きに開口された略コ字状の下向屈曲部を有し、
前記内底板は、前記外底板の上方に配置され、後端の下面が前記外底板の下向屈曲部に載置されるとともに後端の上面が内底板押えにより係止されるようになっており、
前記内底板押えは、前記背板の内面と前記外底板の後端との間に配置され、その下端部には前記背板の上向屈曲部の内周面に沿って嵌合可能な上向きに開口された略コ字状の上向屈曲部を有するとともに、その上端部には前記内底板の後端の上面を係止する係止部を有し、前記外底板の下向屈曲部の端部と前記内底板押えの上向屈曲部の端部とが当接するように設定されていることを特徴とする収納家具。
【請求項３】
前記側板の前端には、後向きに開口された略コ字状の後向屈曲部が形成され、該後向屈曲部の先端の下面に前記外底板の前端の上面が当接するように設定されていることを特徴とする請求項１に記載の収納家具。
【発明の詳細な説明】
【技術分野】
【０００１】
本発明は、複数の面により構成される略箱形状の収納家具に関する。
【背景技術】
【０００２】
従来、背板と側板および底板を連結させて組み立てられる略箱形状の家具において、側板の高さ方向に渡って突出して設けられた補強部と、底板に複数設けられたＬ字状連結部材とが、ネジ部材により互いに締結されることで、側板と底板とが連結されるとともに、側板に対し背板がネジ部材により取り付けられることにより、側板と底板および背板の組立を行うものがあった。（例えば、特許文献１参照）。
【０００３】
しかしながら、従来技術１の収納家具においては、ネジ部材による締結が必要となるため、背板と側板および底板同士の連結がネジ部材の締結力に頼ることになり、組み立てが煩雑になる問題があった。
【先行技術文献】
【特許文献】
【０００４】
【特許文献１】特開２００５−４６２２１号公報
【発明の概要】
【発明が解決しようとする課題】
【０００５】
本発明は、上記のような従来技術の問題点を解決するためになされたもので、ネジ部材等の固定部材を必要とせずに側板と底板との連結が可能である収納家具を提供することを目的とする。
【課題を解決するための手段】
【０００６】
前記課題を解決するために、本発明の収納家具は、
側板、外底板および内底板の連結構造において、
前記側板は、下端の内側に上向きに開口された略コ字状の上向屈曲部を有し、
前記外底板は、前記上向屈曲部と係合するように下向きに開口された略コ字状の下向屈曲部を有し、
前記内底板は、前記外底板の上方に配置されるとともに、前記側板の上向屈曲部の内周面に沿って嵌合可能な上向きに開口された略コ字状の上向屈曲部を有し、
前記外底板の下向屈曲部の端部と前記内底板の上向屈曲部の端部とが当接するように設定されていることを特徴としている。
この特徴によれば、側板に対し外底板および内底板が連結される際に、側板に設けられた上向屈曲部に対し、外底板における下向屈曲部が係合し、かつ、外底板の下向屈曲部の端部と前記内底板の上向屈曲部の端部とが当接するため、２枚の側板がそれぞれ離間する方向に移動するのを防止することができるとともに内底板が上方に離脱するのを防ぐことができ、ネジ部材等を必要とせずに側板と外底板および内底板との連結が可能である。
【０００７】
本発明の収納家具は、
背板、外底板および内底板の連結構造において、
前記背板は、下端の内側に上向きに開口された略コ字状の上向屈曲部を有し、
前記外底板は、前記上向屈曲部と係合するように下向きに開口された略コ字状の下向屈曲部を有し、
前記内底板は、前記外底板の上方に配置され、後端の下面が前記外底板の下向屈曲部に載置されるとともに後端の上面が内底板押えにより係止されるようになっており、
前記内底板押えは、前記背板の内面と前記外底板の後端との間に配置され、その下端部には前記背板の上向屈曲部の内周面に沿って嵌合可能な上向きに開口された略コ字状の上向屈曲部を有するとともに、その上端部には前記内底板の後端の上面を係止する係止部を有し、前記外底板の下向屈曲部の端部と前記内底板押えの上向屈曲部の端部とが当接するように設定されていることを特徴としている。
この特徴によれば、背板に対し外底板および内底板が連結される際に、背板に設けられた上向屈曲部に対し、外底板における下向屈曲部が係合し、かつ、外底板の下向屈曲部の端部と前記内底板抑えの上向屈曲部の端部とが当接するため、背板と外底板との係合が確実に保持されるとともに内底板が上方離脱するのを防ぐことができ、ネジ部材等を必要とせずに背板と外底板および内底板との連結が可能である。
【０００８】
本発明の収納家具は、
前記側板の前端には、後向きに開口された略コ字状の後向屈曲部が形成され、該後向屈曲部の先端の下面に前記外底板の前端の上面が当接するように設定されていることを特徴としている。
この特徴によれば、外底板の上方への移動が側板の後向屈曲部の先端の下面により規制されるため、２枚の側板と外底板との係合を確実なものとすることができる。
【図面の簡単な説明】
【０００９】
【図１】本発明における収納家具の斜視図である。
【図２】収納家具の分解斜視図である。
【図３】外底板を示す斜視図である。
【図４】内底板を示す斜視図である。
【図５】背板を示す斜視図である。
【図６】側板を示す斜視図である。
【図７】内底板押えを示す斜視図である。
【図８】背板と内底板押えの係合関係を示す一部拡大斜視図である。
【図９】側板と外底板の連結の様子を示す正面断面図である。
【図１０】側板の後向屈曲部の先端と外底板の前端の関係を示す一部拡大斜視図である。
【図１１】内底板押えと背板および外底板の連結の様子を示す側断面図である。
【図１２】内底板の組み立ての状態を示す側断面図である。
【図１３】内底板の組み立てが完了した状態を示す正面断面図である。
【発明を実施するための形態】
【実施例１】
【００１０】
実施例に係る収納家具１につき、図１から図６を参照して説明する。図１の符号１は、壁や天井および床等に対し設置される収納家具である。この収納家具１は、ボルトやネジ等の固定部材を使わずに構成されるものである。
なお、収納家具１は、後述するように、底板が外底板９と内底板８から構成されている。
【００１１】
図１および図２に示すように、収納家具１は、略矩形状に形成された天板５、側板１５，１５、背板１２、内底板押え１３、底板Ｓおよび棚板２０を連結して組み立てられている。本発明は、特に、収納家具１における、直角に連結された背板１２と側板１５，１５とに対し連結される外底板９および内底板８の連結におけるものであり、図２では、外底板９は底部部材９-１及び前部部材９-２から構成されている。
【００１２】
以下に各部材について詳しく説明する。図３に示すように、外底板９は、金属板を折り曲げ加工して形成された底部部材９-１及び前部部材９-２から構成されており、底部部材９-１の本体９０の幅方向両側、正面側および背板側には、それぞれ、内側に折り曲げられた側縁部９２、正面縁部９１（図２参照）、背縁部９３が設けられている。前部部材９-２が正面縁部９１（図２参照）を一部被覆するように折り曲げられて外底板補強部２２が形成されており、該外底板補強部２２の幅方向両端部にはスリット２９，２９がそれぞれ設けられている。また、幅方向両側には側縁部９２の端部から延長され、下向きに開口された略コ字状の下向屈曲部２１，２１がそれぞれ形成されている。また、背板側には背縁部９３の端部から延長され、下向きに開口された略コ字状の下向屈曲部２３が設けられている。
【００１３】
図４に示すように、内底板８は、金属板を折り曲げ加工して形成され、本体８０の幅方向両側、正面側に、それぞれ、内側に折り曲げられた側縁部８３、正面縁部８４が設けられている。幅方向両側には側縁部８３の端部から延長され、上向きに開口された略コ字状の上向屈曲部１７，１７がそれぞれ形成されている。
【００１４】
図５に示すように、背板１２は金属板を折り曲げ加工して形成され、本体１２０の幅方向両側、上側および下側に、それぞれ、内側に折り曲げられた側縁部１２１、上縁部１２２、下縁部１２３が設けられ、幅方向両側には側縁部１２１の端部から延長され、内側に折り曲げられて背板補強部２４，２４が高さ方向に下端部の一部を欠如してそれぞれ形成されている。下側には下縁部１２３の端部から延長され、上向きに開口する断面略コ字状の上向屈曲部１８が形成されている。
【００１５】
図６に示すように、側板１５は金属板を折り曲げ加工して形成され、本体１５０の正面側、背板側、上側および下側に、それぞれ、内側に折り曲げられた正面側縁部１５１、背板側縁部１５２、上縁部１５３、下縁部１５４が設けられ、正面側には正面側縁部１５１の端部から延長され、内側に折り曲げられて側板補強部２５（後向屈曲部）が形成されるとともに、側板補強部２５の下端部が一部切り欠かれて規制突片２６が形成されている。下側には下縁部１５４の端部から延長され、上方に開口する断面略コ字状の上向屈曲部１６が形成されている。
【００１６】
図７および図８に示すように、内底板押え１３は金属板を折り曲げ加工して形成され、本体１３０の上側および下側に、それぞれ、上側には内底板押え突片２８、下側には下縁部１３３が設けられており、内底板押え１３の幅方向両側には係止片２９，２９が形成されている。下側には下縁部１３３の端部から延長され、上方に開口する断面略コ字状の上向き屈曲部２７が形成されている。
【００１７】
次に図８から図１３を用いて組み立て工程を説明する。まず、図８に示すように、背板１２における背部屈曲部１８に対し、内底板押え１３における背部屈曲片２７を嵌合する。このとき、上述したように係止片２９が背板補強部２４の下部に当接することで、内底板押え１３の離脱を防止するようになっている。
【００１８】
続いて図９および図１０に示すように、側板１５，１５の規制突片２６，２６に外底板９のスリット２９，２９をそれぞれ嵌入するとともに、側板１５，１５における上向屈曲部１６，１６に対し外底板９の下向屈曲部２１，２１をそれぞれ係合させる（図９参照）
。また図１０（ａ）および（ｂ）に示すように、上述のスリット２９，２９への規制突片２６，２６の嵌入と同時に、外底板補強部上面２２１が側板１５，１５の側板補強部の下端面２５１，２５１に当接するようになり、外底板９前方側の上方への移動を規制するようになっている。
【００１９】
次に図１１に示すように、背板１２における上向屈曲部１８に対し外底板９の下向屈曲部２３を係合させ、側板１５，１５および背板１２に対し外底板９の係合が完了する。なお、背板１２の上向屈曲部１８に対する底板９の下向屈曲部２３の係合が完了した際、内底板押え１３の上向き屈曲部２７の端部２７１が底板９の下向屈曲部２３の端部２３１に当接するようになっている。
【００２０】
内底板８の取り付けは、図１２および図１３に示すように、内底板８の後端部を背板１２に取り付けられた内底板押え突片２８の下方に配置し、内底板８の後端部を支点として内底板８を外底板９の上方に倒しこむ。このとき図１3に示すように、側板１５、１５の上向屈曲部１６，１６に対し、該上向屈曲部１６，１６内周面に沿うように、内底板８の上向屈曲部１７，１７がそれぞれ嵌合されるとともに、端部１７１，１７１が、底板９の下向屈曲部２３の端部２１１，２１１とが面当接するようになっている。
【００２１】
以上説明したように、略矩形状に形成された複数の面を連結して組み立てられる収納家具における側板１５，１５、外底板９および内底板８の連結構造において、側板１５，１５は、下端の内側に上向きに開口された略コ字状の上向屈曲部１６，１６を有し、外底板９は、上向屈曲部と係合するように下向きに開口された略コ字状の下向屈曲部２１，２１を有し、内底板８は、外底板９の上方に配置されるとともに、側板の上向屈曲部の内周面に沿って嵌合可能な上向きに開口された略コ字状の上向屈曲部１７，１７を有し、外底板９の下向屈曲部の端部２１１，２１１と内底板８の上向屈曲部の端部１７１，１７１とが当接するように設定されているため、側板１５，１５に対し外底板９および内底板８が連結される際に、側板１５，１５に設けられた上向屈曲部に対し、外底板における下向屈曲部が係合し、かつ、外底板の下向屈曲部の端部と前記内底板の上向屈曲部の端部とが当接するため、２枚の側板１５，１５がそれぞれ離間する方向に移動するのを防止することができるとともに内底板８が上方に離脱するのを防ぐことができ、ネジ部材等を必要とせずに側板１５，１５と外底板９および内底板８との連結が可能である。
【００２２】
また、収納家具における背板１２、外底板９および内底板８の連結構造において、背板１２は、下端の内側に上向きに開口された略コ字状の上向屈曲部１８を有し、外底板９は、上向屈曲部と係合するように下向きに開口された略コ字状の下向屈曲部２３を有し、内底板８は、外底板９の上方に配置され、後端の下面が外底板の下向屈曲部２３に載置されるとともに後端の上面が内底板押え１３により係止されるようになっており、内底板押え１３は、背板１２の内面と外底板９の後端との間に配置され、その下端部には背板の上向屈曲部の内周面に沿って嵌合可能な上向きに開口された略コ字状の上向屈曲部２７を有するとともに、その上端部には内底板８の後端の上面を係止する係止部（係止片）を有し、外底板の下向屈曲部の端部２１１の端部と内底板押えの上向屈曲部の端部２７１とが当接するように設定されているため、背板１２に対し外底板９および内底板８が連結される際に、背板１２に設けられた上向屈曲部に対し、外底板における下向屈曲部が係合し、かつ、外底板の下向屈曲部の端部と前記内底板抑えの上向屈曲部の端部とが当接するため、背板１２と外底板９との係合が確実に保持されるとともに内底板８が上方離脱するのを防ぐことができ、ネジ部材等を必要とせずに背板１２と外底板および内底板との連結が可能である。
【００２３】
側板１５，１５の前端には、後向きに開口された略コ字状の後向屈曲部（側板補強部２５，２５）が形成され、この後向屈曲部の先端の下面（側板補強部の下端面２５１，２５１）に外底板の前端の上面（外底板補強部上面２２１）が当接するように設定されているため、外底板９の上方への移動が側板の後向屈曲部の先端の下面により規制され、２枚の側板１５，１５と外底板８との係合を確実なものとすることができる。
【００２４】
また、後向屈曲部の先端の下面（側板補強部の下端面２５１，２５１）に外底板の前端の上面（外底板補強部上面２２１）が当接するように設定されているため、外側板９の前方が上方への移動を規制されるとともに、内底板８の後方が内底板押え１３の押え屈曲部の端部２７１により上方への移動を規制されることにより、内底板８の下に配置された外底板９の上方への移動が規制される。さらに外底板９の下向屈曲部の端部２１１，２１１と内底板８の上向屈曲部の端部１７１，１７１とが当接して、内底板８の上方への移動が規制されるようになっており、上述のように、連結完了後は外底板９と内底板８とが互いに離間しないようになっている。
【００２５】
以上、本発明の実施形態を図面により説明してきたが、具体的な構成はこれら実施形態に限られるものではなく、本発明の要旨を逸脱しない範囲における変更や追加があっても本発明に含まれる。
【符号の説明】
【００２６】
１                収納家具
５                天板
８                内底板
９                外底板
１２              背板
１３              内底板押え
１５              側板
１６              側板の上向屈曲部
１７              内底板の上向屈曲部
１８              背板の上向屈曲部
２１              外底板９の下向屈曲部
２２              外底板補強部
２３              外底板の下向屈曲部
２４              背板補強部
２５              側板補強部（後向屈曲部）
２６              規制突片
２７              内底板押えの屈曲部
２８              内底板押え突片
２９              スリット
１７１            内底板の上向屈曲部の端部
２１１            外底板の下向屈曲部の端部
２５１            側板補強部の下端面
Ｓ                底板
【図１】
0005804928.tif 000002
【図２】
0005804928.tif 000003
【図３】
0005804928.tif 000004
【図４】
0005804928.tif 000005
【図５】
0005804928.tif 000006
【図６】
0005804928.tif 000007
【図７】
0005804928.tif 000008
【図８】
0005804928.tif 000009
【図９】
0005804928.tif 000010
【図１０】
0005804928.tif 000011
【図１１】
0005804928.tif 000012
【図１２】
0005804928.tif 000013
【図１３】
0005804928.tif 000014